(57)【特許請求の範囲】
【請求項１】
使用者の足裏側を配置するための靴底部と、
前記靴底部から立ち上がり、使用者の足を包むように形成されるアッパー部と、を有し、
前記アッパー部は、使用者の足を挿入するための履き口部と、
前記履き口部の一部を切り欠いて爪先側方向に向かって形成されている足挿入用開口部と、を有するベビーシューズであって、
前記足挿入用開口部を閉状態にする閉状態位置又は、前記足挿入用開口部を開状態にする開状態位置に配置可能にするために爪先側に折り曲げ可能な舌状当接部と、
前記足挿入用開口部を前記閉状態にするために前記舌状当接部上である当接位置、又は前記足挿入用開口部を前記開状態とするために前記舌状当接部上から待避した待避位置に配置可能な固定用ベルト部と、を備え、
前記固定用ベルト部と前記舌状当接部は、一方の移動を他方に伝える連動部によって連結され、
前記閉状態位置に配置されている前記舌状当接部を前記開状態位置に向かって移動させると、前記連動部によって、その移動が前記固定用ベルト部に伝わり、前記固定用ベルト部が前記待避位置に向かって移動すると共に、
前記待避位置に配置されている前記固定用ベルト部が前記当接位置方向に移動すると、前記連動部によって、その移動が前記舌状当接部に伝わり、前記舌状当接部が前記閉状態位置に向かって移動する構成となっており、
前記舌状当接部を前記開状態位置で維持させる開状態維持固定部が、前記舌状当接部と前記アッパー部の爪先側に形成され、
前記連動部は、その一端が前記固定用ベルト部の表面に固定され、他端部が、前記舌状当接部に固定され、その中間部分は固定されない連動ベルトとなっており、
前記連動ベルトは、前記アッパー部に固定されている固定用ベルト部の基端部側に形成されている連動ベルト貫通孔を介して、前記固定用ベルト部と前記舌状当接部とを連結するように配置されていることを特徴とするベビーシューズ。
【請求項２】
前記連動ベルトの前記他端部が、前記舌状当接部のうち、前記履き口部側に固定される構成となっていることを特徴とする請求項１に記載のベビーシューズ。
【発明の詳細な説明】
【技術分野】
【０００１】
本発明は、主に乳幼児等が歩行等の際に使用するベビーシューズに関するものである。
【背景技術】
【０００２】
従来から乳幼児等のための靴としてベビーシューズが広く使用されている。このようなベビーシューズについては、乳幼児等が履き易くするための構成が提案されている（例えば、特許文献１）。
すなわち、同文献には、使用者の足に甲の部分等に配置される子供靴の舌片上部と、甲バンド取り付け側甲被と、つま先部に設けた中継具を介して、連結材により連結しているので、甲バンドの開閉と連動して、舌片が前方に開くので、履き口を簡単に広げることができ、履き易くなる構成が開示されている。
【先行技術文献】
【特許文献】
【０００３】
【特許文献１】実用新案登録第３１３７５８６号
【発明の概要】
【発明が解決しようとする課題】
【０００４】
しかし、このような構成でも、乳幼児等の使用者がベビーシューズ内に足を挿入した後は、舌片等の舌状当接部を足の甲の上に配置した後、その上に、甲バンド等の固定用ベルト部を配置し、この固定用ベルト部をアッパー部に対して固定するという操作を強いられるため、乳幼児等の使用者にとっては、依然として履きにくいという問題があった。
【０００５】
そこで、本発明は、乳幼児等の使用者が足を入れやすいと共に、舌状当接部や固定用ベルト部等の操作が容易なベビーシューズを提供することを目的とする。
【課題を解決するための手段】
【０００６】
前記目的は、本発明によれば、使用者の足裏側を配置するための靴底部と、前記靴底部から立ち上がり、使用者の足を包むように形成されるアッパー部と、を有し、前記アッパー部は、使用者の足を挿入するための履き口部と、前記履き口部の一部を切り欠いて爪先側方向に向かって形成されている足挿入用開口部と、を有するベビーシューズであって、前記足挿入用開口部を閉状態にする閉状態位置又は、前記足挿入用開口部を開状態にする開状態位置に配置可能にするために爪先側に折り曲げ可能な舌状当接部と、前記足挿入用開口部を前記閉状態にするために前記舌状当接部上である当接位置、又は前記足挿入用開口部を前記開状態とするために前記舌状当接部上から待避した待避位置に配置可能な固定用ベルト部と、を備え、前記固定用ベルト部と前記舌状当接部は、一方の移動を他方に伝える連動部によって連結され、前記閉状態位置に配置されている前記舌状当接部を前記開状態位置に向かって移動させると、前記連動部によって、その移動が前記固定用ベルト部に伝わり、前記固定用ベルト部が前記待避位置に向かって移動すると共に、前記待避位置に配置されている前記固定用ベルト部が前記当接位置方向に移動すると、前記連動部によって、その移動が前記舌状当接部に伝わり、前記舌状当接部が前記閉状態位置に向かって移動する構成となっており、前記舌状当接部を前記開状態位置で維持させる開状態維持固定部が、前記舌状当接部と前記アッパー部の爪先側に形成され、前記連動部は、その一端が前記固定用ベルト部の表面に固定され、他端部が、前記舌状当接部に固定され、その中間部分は固定されない連動ベルトとなっており、前記連動ベルトは、前記アッパー部に固定されている固定用ベルト部の基端部側に形成されている連動ベルト貫通孔を介して、前記固定用ベルト部と前記舌状当接部とを連結するように配置されていることを特徴とするベビーシューズにより達成される。
【０００７】
前記構成によれば、閉状態位置に配置されている舌状当接部を開状態位置に向かって移動させると、連動部によって、その移動が固定用ベルト部に伝わり、固定用ベルト部が待避位置に向かって移動する。
このため、足挿入用開口部から舌状当接部及び固定用ベルト部が待避方向に移動するので、使用者は、その足を足挿入用開口部に挿入し易い構成となる。
また、待避位置に配置されている固定用ベルト部が当接位置方向に移動すると、連動部によって、その移動が舌状当接部に伝わり、舌状当接部が閉状態位置に向かって移動する構成ともなっている。
したがって、舌状当接部が開状態位置から閉状態位置に向かって移動するので、使用者が操作して、舌状当接部を足挿入用開口部に配置させることなく、使用者は、固定用ベルト部の操作だけで、舌状当接部を足挿入用開口部に対して配置されることができる。すなわち、操作者は固定用ベルト部のみの操作で、舌状当接部の移動も行うことができる。
このため、乳幼児等の操作者に取って極めて履き易いベビーシューズとなる。
【０００９】
前記構成によれば、舌状当接部を開状態位置で維持させる開状態維持固定部が形成されているので、足挿入開口部を開状態で維持固定が可能となり、使用者は、いつでも足を足挿入用開口部に挿入し易い状態でベビーシューズを履くことができる。
【００１１】
前記構成によれば、連動ベルトは、アッパー部に固定されている固定用ベルト部の基端部側に形成されている連動ベルト貫通孔を介して、固定用ベルト部と舌状当接部とを連結するように配置されている。
このため、連動ベルトの存在が、固定用ベルト部の移動を妨げることがなく、使用者にとって操作し易いベビーシューズとなる。
【００１２】
好ましくは、前記連動ベルトの前記他端部が、前記舌状当接部のうち、前記履き口部側に固定される構成となっていることを特徴とする。
【００１３】
前記構成によれば、連動ベルトの他端部が、舌状当接部のうち記履き口部側、すなわち、連動ベルト貫通孔からより離間している部分に固定されているので、連動ベルトは、固定用ベルト部の動きをより効果的に舌状当接部に伝えることができる。
【発明の効果】
【００１４】
本発明は、乳幼児等の使用者が足を入れやすいと共に、舌状当接部や固定用ベルト部等の操作が容易なベビーシューズを提供することができるという利点がある。
【図面の簡単な説明】
【００１５】
【図１】本発明の第１の実施の形態にかかるベビーシューズを示す概略正面図である。
【図２】図１のベビーシューズの概略右側面図である。
【図３】図１のベビーシューズの概略左側面図である。
【図４】ベルト部のアッパー部に対する固定を解除して、ベルト部を広げた状態を示す概略図である。
【図５】ベルト部を広げ、舌状当接部を爪先部側に折り返した状態を示す概略図である。
【図６】人における足の骨格等を側面から見た概略説明図である。
【図７】足の骨格等を平面から示す概略図である。
【図８】図１の靴底部の底面を示す概略図である。
【図９】本発明の第２の実施の形態にかかるベビーシューズを示す概略図である。
【発明を実施するための形態】
【００１６】
以下、この発明の好適な実施の形態を添付図面等を参照しながら、詳細に説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００１７】
（第１の実施の形態）
以下、本発明の第１の実施の形態にかかるベビーシューズ１について説明する。
図１乃至図３に示すベビーシューズ１は、月齢が１１ヶ月から３歳程度までの乳幼児等を対象としている。
月齢１１ヶ月程度から１５ヶ月程度までの乳幼児等は、所謂「よちよち歩き」の時期と呼ばれ、手でバランスを取りながら不安定なリズムで歩く時期である。
また、月齢１４ヶ月程度から３歳程度までの乳幼児等は、所謂「とてとて歩き」の時期と呼ばれ、活発な動きが増え、一定のリズムで安定した歩行ができる時期である。
【００１８】
図１乃至図３に示すように、本実施の形態のベビーシューズ１は、使用者である例えば、乳幼児の足裏側を配置するための靴底部１０を有している。
また、この靴底部１０から立ち上がるように、且つ乳幼児の足を包むようにアッパー部２０が形成されている。
【００１９】
さらに、このアッパー部２０には、乳幼児の足を挿入するための履き口部３０が形成されている。
また、図１に示すように、アッパー部２０には、ベビーシューズ１を履いた乳幼児の足の甲の部分に当接するように配置される舌状当接部５０が形成され、この舌状当接部５０の表面（上）側には、アッパー部２０に対して着脱可能に固定される固定用ベルト部である例えば、ベルト部６０が形成されている。
さらに、アッパー部２０の先端側（爪先側）には、図１等で示すように爪先部７０が形成されている。
【００２０】
ベビーシューズ１は、図５に示すように、履き口部３０を切り欠いて爪先部７０側方向に向かって、開口を形成している足挿入用開口部４０を有している。履き口部３０と足挿入用開口部４０とで、大きな開口を形成するため、乳幼児は、その足をベビーシューズ１内に挿入し易い構成となっている。
【００２１】
ところで、舌状当接部５０は、図４及び図５に示すように、その爪先側がアッパー部２０と接続されているため、爪先側を支点に爪先部７０側と足挿入用開口部４０側との間を揺動可能な構成となっている。
具体的には、舌状当接部５０は、図４に示すように、乳幼児の足の甲側に当接するように配置され、足挿入用開口部４０を閉状態とする閉状態位置に配置することができる。
また、舌状当接部５０は、図５に示すように、舌状当接部５０を爪先部７０側に折り曲げた状態、すなわち、足挿入用開口部４０を開状態とする開状態位置に配置することできる構成となっている。
【００２２】
さらに、本実施の形態では、図４に示すように、舌状当接部５０の表面側には、舌状当接部５０の短手方向に長い、横長の略長方形を成す舌状当接部側面ファスナ５１が形成されている。この舌状当接部側面ファスナ５１は、ベルト部６０が図１に示す状態、すなわちアッパー部２０に固定されている状態で、当該ベルト部６０と舌状当接部５０とが係合される位置に形成されている。
また、図４に示すように、爪先部７０には、その表面に星の形状を成す爪先部側面ファスナ７１が形成されている。
そして、図５に示すように、舌状当接部５０が爪先部７０側に折り曲げられ（倒され）ると、舌状当接部側面ファスナ５１が、爪先部側面ファスナ７１に当接し、相互に係合し、舌状当接部５０が爪先部７０に固定される構成となっている。
すなわち、舌状当接部側面ファスナ５１と爪先部側面ファスナ７１は、相互に対応した位置に配置されている。
【００２３】
したがって、舌状当接部５０は、図５に示す状態では、足挿入開口部４０を開状態で維持固定されることになる。
このため、乳幼児は、図５の状態では、いつでも足を足挿入用開口部４０に容易に挿入することができる。
つまり、舌状当接部側面ファスナ５１と爪先部側面ファスナ７１は、開状態維持固定部の一例となっている。
【００２４】
また、舌状当接部５０は、その爪先部７０側でアッパー部２０と接続される位置に縫合部５２を有している（図５参照）。この縫合部５２は、いわゆる脆弱部として作用し、舌状当接部５０を爪先部７０側に折り曲げる際の折り曲げ線等となる。
また、縫合部５２は、舌状当接部５０の折り曲げのきっかけ部分となり、この縫合部５２の設けられる位置は、舌状当接部側面ファスナ５１と爪先部側面ファスナ７１とのちょうど中間の位置である。
また、この縫合部５２は、舌状当接部５０を折り曲げて、足挿入用開口部４０を最大限に広げた開状態となる位置（例えば、図５で示される位置等）に設けられる。
なお、上述の脆弱部としての縫合部５２は、舌状当接部５０が容易に折り曲げることができるのであれば、必ずしも設ける必要はない。
【００２５】
また、ベルト部６０は、図１等に示すように、足挿入用開口部４０を閉状態とするために舌状当接部５０の上から配置される当接位置と、図４に示すように、ベルト部６０を広げ（展開し）、舌状当接部５０上から例えば、ベビーシューズ１の内足側に退避可能な構成となっている。
【００２６】
このベルト部６０は、図４等に示すように、全体が略帯状を成し、その基端部であるベルト基端部６１が、図３に示すように、アッパー部２０の内足側に固定され、一方、ベルト部６０の先端部であるベルト先端部６２は、図２に示すように、アッパー部２０の外足側に着脱可能に配置されている。
具体的には、図４に示すように、ベルト部６０の内側であるベルト内側（ベルト部６０の舌状当接部５０側）には、ベルト側面ファスナ６０ａが形成されている。
【００２７】
一方、アッパー部２０には、図２に示すように、アッパー側面ファスナ２０ａが形成されている。このアッパー側面ファスナ２０ａは、略長方形を成している。
したがって、ベルト部６０を、図１及び図２に示すように、舌状当接部５０上に配置すると、ベルト部６０のベルト先端部６２が、アッパー部２０のアッパー側面ファスナ２０ａと当接し、両者が係合し、これにより、ベルト部６０は、アッパー部２０に固定されることになる。
【００２８】
ところで、図２等に示すように、ベビーシューズ１は、乳幼児の足の踵が配置される部分である踵部８０を有している。この踵部８０には、その内部に、剛性を高めるためのカウンタ部８１が配置されている。
このため、ベビーシューズ１内の乳幼児の足の踵は、踵部８０によりしっかりホールドされることになる。
【００２９】
また、図２に示すように、アッパー側面ファスナ２０ａは、その略長方形の長手方向が、踵部８０に向かって配置されている（図２の矢印Ａ方向）。
このため、乳幼児がベルト部６０を、アッパー側面ファスナ２０ａの長手方向に沿って配置すると、ベルト部６０は、ベビーシューズ１内の乳幼児の足を図２の踵部８０へ向かって固定することになる。
したがって、本実施の形態では、乳幼児の足を靴底部１０側に略垂直方向に固定する場合に比べ格段にホールド性が向上し、例えば、爪先部７０側に足がずれてしまうこと等を未然に防ぐことができる。
【００３０】
また、本実施の形態では、図４に示すように、舌状当接部５０にベルト部６０が当接する部分に、舌状当接部側面ファスナ５１が設けられているため、ベルト部６０を図１及び図２に示すように、舌状当接部５０上に配置すると、ベルト部側面ファスナ６０ａと舌状当接部側面ファスナ５１とが当接し、係合し、その位置が固定されることになる。
【００３１】
したがって、乳幼児がベビーシューズ１を履き歩行等をするときでも、ベルト部６０の位置がずれることがなく、ベルト部６０を常に適切な位置に維持することができる。このため、乳幼児にとって歩行等をし易いベビーシューズ１となる。
また、図２等に示すベルト部６０の位置は、最適な位置となっている。以下、詳細に説明する。
【００３２】
図６に示すように人の足には矢印Ｂで示す部分に足高点Ｂと称される部分があり、この足高点Ｂより爪先部７０側にベルト部６０が配置されると、ベルト部６０は、ベビーシューズ１内の乳幼児の足を靴底部１０側に押しつけることになり、これは上述のように、足のホールド性が低下する。
この点、本実施の形態では、ベルト部６０のベルト先端部６２が、アッパー部２０に固定されたときは、このベルト部６０は、足高点Ｂに対応する位置に配置され、この位置は、ベルト部側面ファスナ６０ａと舌状当接部側面ファスナ５１によって、ずれることがない。
【００３３】
したがって、歩行中にベルト部６０がずれて、足を靴底部１０側に押しつけて、足のホールド性が低下することを未然に防止することができる。
特に、図２のベルト部６０の下縁部分が、足高点Ｂに対応して配置されると、さらにホールド性が高まることになる。
【００３４】
このように、舌状当接部側面ファスナ５１とベルト側面ファスナ６０ａは、当接位置固定部の一例となっている。
【００３５】
また、ベルト部６０のベルト先端部６２には、図１及び図２に示すように、摘み部６３が配置されている。このため、乳幼児はベルト部６０を上述の当接位置又は待避方向に配置させるとき、この摘み部６３を保持することで、ベルト部６０を操作し易い構成となっている。
【００３６】
ところで、本実施の形態では、図１等に示すように、ベルト部６０と舌状当接部５０は、一方の移動を他方に伝える連動部である連動ベルト９０を有している。
具体的には、連動ベルト９０の一端は、図１及び図５に示すように、ベルト部６０のベルト先端部６２側の表面に固定される。また、連動ベルト９０の他端は、舌状当接部５０の略中央部に固定配置されている。
すなわち、この連動ベルト９０の他端は、舌状当接部５０上で後述する連動ベルト貫通孔９１近傍に設けられる挿通孔５３に挿通され、舌状当接部５０内部で略中央位置に固定される（図４参照）。
また、連動ベルト９０の固定されている一端と他端を除く中間部分は、固定されておらず、この連動ベルト９０の中間部分は、図３及び図５に示すように、連動ベルト貫通孔９１内に配置され、連動ベルト貫通孔９１内を移動可能な構成となっている。
【００３７】
また、本実施の形態では、図３及び図５に示すように、連動ベルト貫通孔９１がベルト部６０のベルト基端部６１側に形成されている。
すなわち、連動ベルト貫通孔９１が設けられる位置は、舌状当接部５０が足挿入用開口部４０を覆う位置にあるときのすぐ横（内足側）に設けられる。
この位置に配置されることで、後述のように、ベルト部６０を引っ張り、折り曲げられた舌状当接部５０が足挿入用開口部４０を覆う位置となるときには、連動ベルト９０がきちんと機能することとなる。
【００３８】
ところで、乳幼児が図１の上述の閉状態のベビーシューズ１を履くときには、先ず、ベルト部６０をアッパー部２０から外した後、図５に示すように、舌状当接部５０を爪先部７０側へ折り曲げる。すると、この舌状当接部５０の移動により、連動ベルト９０は、図５の矢印Ｃ方向、すなわち、舌状当接部５０方向に移動し、これにより、ベルト部６０は、図５の矢印Ｄ方向、すなわち、待避位置であるアッパー部２０の内足側へ移動することになる。
【００３９】
したがって、図５に示すように、足挿入用開口部４０は開状態となるので、乳幼児はベビーシューズ１内に足を挿入し易い構成となっている。
また、このとき、上述のように舌状当接部５０は、その舌状当接部側面ファスナ５１と爪先部側面ファスナ７１とが係合し、舌状当接部５０が爪先部７０に固定されているため、長時間、その状態を維持できる。
したがって、乳幼児が足を入れる途中で、舌状当接部５０が閉状態に戻り、乳幼児の足の挿入を妨げることを未然に防止することができる。
【００４０】
さらに、例えば、乳幼児の保護者が、図５に示す開状態にして、ベビーシューズ１を靴箱等に保管すると、使用する際、乳幼児がそのまま靴箱等から取り出し、足を挿入することができ、極めて容易にベビーシューズ１内に足を挿入することができる使用方法となる。
【００４１】
特に、従来から、使用者がベビーシューズを靴箱等に配置、保管するときは、履くときと同じ状態、すなわち、舌状当接部が足挿入用開口部を覆う状態として保管等する場合が多い。
これは、ベビーシューズのベルト部をアッパー部に固定しない状態、すなわち、ベルト部が宙ぶらりんの状態（固定されず不安定な状態）とすると、ベビーシューズ全体がすっきりまとまらなくなるためで、使用者は、かかる事態の発生を回避するため、ベルト部をアッパー部に固定された状態で、靴箱等に保管するようにしていた。
【００４２】
このため、使用者が、靴箱等内に保管されているベビーシューズを履くときは、以下のような手順を経る必要があった。
先ず、ベビーシューズのアッパー部に固定されているベルト部をアッパー部から引き剥がし、その後、足挿入用開口部を覆っている舌状当接部を足挿入用開口部から待避させ、足を挿入させた。その後、再び、舌状当接部を足挿入用開口部を覆うように配置し、ベルト部をアッパー部に固定させることで歩行等が可能な状態とした。
【００４３】
また、使用者がベビーシューズを脱ぎ、靴箱等に入れようとするときは、以下のような手順を使用者に強いることとなった。
先ず、ベルト部とアッパー部との固定を解除し、舌状当接部を足挿入用開口部から待避させ、足をベビーシューズから排出させる（抜く）。その後、再び、足挿入用開口部を覆うように舌状当接部を配置して、さらに、ベルト部をアッパー部に固定させる。
このような手順を経て、初めてベビーシューズは、すっきりと靴箱等に配置、保管できる状態となっていた。
【００４４】
この点、本実施の形態では、靴箱等内にベビーシューズ１を配置、保管する際、上述のように、ベルト部６０は待避位置であるアッパー部２０の内足側へ配置される（図５参照）。また、舌状当接部５０は、図５に示すように、爪先部７０側へ折り曲げられ、爪先部に固定されている。これにより、足挿入用開口部４０は、図５に示すように、開状態で維持され固定されると共に、その形態や外観はすっきりした状態ともなっている。
したがって、使用者は、ベビーシューズ１を靴箱等に保管するときは、上述のように、従来と異なり、足挿入用開口部４０を開状態として保管できる。また、このように、開状態を維持することができるので、例えば、洗濯を行った後にベビーシューズ１内部への通気を容易に確保することができ、より乾きやすいこととなる。
【００４５】
このように、使用者が靴箱等内に保管されている本実施の形態にかかるベビーシューズ１を履くときは、すでに足挿入用開口部４０が開状態にあり、このときベルト部６０は、アッパー部２０の内足側に位置している。
このため、乳幼児は、ベビーシューズ１に足を挿入し易く、足を挿入した後、ベルト部６０を足挿入用開口部４０を覆う方向（図５の矢印Ｅ方向）に移動させる。すると、連動ベルト９０が引っ張られ、折り曲げられた舌状当接部５０が足挿入用開口部４０を覆う、いわゆる閉状態に移動する。
その後は、ベルト部６０の面ファスナ６０ａをアッパー部２０の面ファスナ２０ａに固定することで、ベビーシューズ１を履く手順は終了する。
【００４６】
以上のように、本実施の形態では、乳幼児がその摘み部６３を把持し、図５で示すベルト部６０の位置から矢印Ｅで示す方向に、すなわち、ベルト部６０が舌状当接部５０に近接する方向に、ベルト部６０を移動させると、連動ベルト９０が、矢印Ｆで示す方向、すなわち、舌状当接部５０から離間する方向に引かれる。
すなわち、ベルト部６０の移動は、このように連動ベルト９０によって舌状当接部５０へ伝えられる。
そして、舌状当接部５０は、図５のベビーシューズ１の爪先部６０から離間する方向に引かれて、図４に示す位置（閉状態位置）に配置される。
【００４７】
その後、乳幼児が、更に、ベルト部６０の摘み部６３を保持して、ベルト部６０を移動させ、ベルト側面ファスナ６０ａを、アッパー部２０のアッパー側面ファスナ２０ａに係合させ、ベルト部６０を図２に示すようにアッパー部２０に固定することで、ベビーシューズ１を履くことができる。
【００４８】
すなわち、本実施の形態では、乳幼児はベビーシューズ１を履く際、舌状当接部５０を直接、開状態位置から閉状態位置へ戻す操作をすることなく、ベルト部６０を操作するだけで、舌状当接部６０を閉状態位置に戻すことができる。
したがって、乳幼児にとっては、ベルト部６０の操作という「ワンアクション」でベビーシューズ１を履くことができるので、極めて履きやすい構成となっている。
このように、本実施の形態のベビーシューズ１は、乳幼児が足を挿入する際に、足挿入用開口部４０が開状態にあるため、足を挿入し易く、且つ、足を挿入した後は、閉状態にし易いという優れた構成を有している。
【００４９】
一方、使用者が、ベビーシューズ１を脱ぐときには、ベルト部６０をアッパー部側面ファスナ２０ａから剥がす。これにより、ベルト側面ファスナ６０ａと舌状当接部５０の舌状当接部側面ファスナ５１との係合により、舌状当接部５０もやや折れ曲がることになる。
続いて、使用者は、舌状当接部５０を持ち、爪先部７０側に折り曲げる。このとき、連動ベルト９０により、ベルト部６０は、アッパー部２０の内足側に接する方向に移動する。この状態では、足挿入用開口部４０が開状態にあるので、乳幼児はベビーシューズ１を脱ぎやすい。しかも、脱いだ後は、ベビーシューズ１を、その開状態のまま靴箱に置くことで、次回履くときに、煩わしい動作がなく、素早く履くことができる。
【００５０】
また、本実施の形態では、図４に示すように、舌状当接部５０は、その閉状態位置では、アッパー部２０に形成されている足挿入用開口部４０の内側に配置されている。すなわち、足挿入用開口部４０を形成するアッパー部２０の端部が、舌状当接部５０を押さえるように、表面側に配置されている。
したがって、舌状当接部５０を図５に示す開状態位置に移動させるときは、舌状当接部５０は、足挿入用開口部４０の周縁であるアッパー部２０を押し広げるように移動するので、足挿入用開口部４０は、より広くなり、乳幼児が、その足を挿入し易い状態となる。
また、ベルト部６０をアッパー部側面ファスナ２０ａから剥がした際、舌状当接部５０は、舌状当接部側面ファスナ５１とベルト側面ファスナ６０ａとの係合により、アッパー部２０の端部よりも表面側に引っ張られる。
【００５１】
また、本実施の形態では、図１等に示すように、ベビーシューズ１の爪先部７０には、その表面に合皮７２が配置され、剛性が高められている。
ところで、乳幼児、特に月齢９ヶ月から１２ヶ月程度までの乳幼児は、歩行動作の練習の際、足指を上下左右に動かすことで、そのバランスを取っている。
したがって、爪先部７０に合皮７２が設けられることにより、ベビーシューズ１の爪先部７０は形状が保持され、その内側には、所定の空間が確保される。このため、乳幼児等がベビーシューズ１内で足指を上下左右に動かすことができる。
このように、本実施の形態のベビーシューズ１では、爪先部７０の形状が保持されているので、乳幼児のかかる足指の動きを妨げない構成となっており、乳幼児が歩行動作の練習をし易い構成となっている。
【００５２】
また、本実施の形態では、舌状当接部５０の上端部である舌状当接部上端５０ａは、内部にスポンジ等が配置されたクッション部となっている。
また、履き口部３０の上端部である履き口部上端３０ａにも、その内部にスポンジ等が配置されたクッション部となっている。
したがって、舌状当接部５０を閉状態位置に配置すると、ベビーシューズ１内の乳幼児の足首は、舌状当接部５０の舌状当接部上端５０ａと履き口部３０の履き口部上端３０ａによって囲繞される。
したがって、乳幼児の足首に対し、強めに舌状当接部５０を当接させても、舌状当接部上端５０ａ及び履き口部上端３０ａ内のクッション部のスポンジ等が変形する。このため、乳幼児の歩行を妨げることなく、足首に対するホールド性も向上させることができる。
【００５３】
ところで、乳幼児が歩行等をする際には、踵を上げて足指を屈曲させる動作をよく行うが、このとき、足指の屈曲する部分が、足指屈曲線と呼ばれている。
図７に示すように、足指は親指側である第１趾から小指側である第５趾まで配置され、その各指の中足指関節及びその周辺である、図においてＧで示す領域に足指屈曲線が形成される。
この足指屈曲線に沿って屈曲する足の屈曲運動は、歩行及び足の発育に際し、重要な動作であるため、この足指屈曲線に沿って屈曲し易いベビーシューズであることが重要な要素となる。
【００５４】
本実施の形態では、図８に示すように、靴底部１０の底面側には図７の足指屈曲線に対応する複数の溝部１０ａが形成されている。
このように、溝部１０ａは、靴底部１０の幅方向（短手方向）に配置されている。
したがって、乳幼児が歩行に際し、足指屈曲線で足を屈曲する際、靴底部１０の溝部１０ａも追従して、変形、屈曲し、乳幼児の歩行に際し行われる足指の屈曲を妨げない構成となっている。
【００５５】
なお、本実施の形態では、ベルト部６０のベルト側面ファスナ６０ａは、図９に示すように、その裏面側の全面に設けられているが、これに限らず、例えばベルト部６０の基端部６１近傍でベルト側面ファスナ６０ａが設けられていない領域を設けてもよい。
このような領域を設けることにより、その領域が、ベルト部６０の脆弱部となり、足挿入用開口部４０が開状態にあるときに、アッパー部２０の内足側に折れ曲がりやすくなる。
【００５６】
なお、本実施の形態にかかるベルト側面ファスナ６０ａの面ファスナとして、例えば、雄型／雌型の区別のないタイプの面ファスナを採用することもできる。
この場合、特に、かかる面ファスナを、ベルト側面ファスナ６０ａに用いると、足挿入用開口部４０を開状態で、１足のベビーシューズ１を靴箱等内に保管する際に、左右のベビーシューズ１の内足側に配置されるベルト側面ファスナ６０ａ、６０ａ同士を係合させることで、一足のベビーシューズ１をまとめることができ、更にすっきりさせることができる。
【００５７】
（第２の実施の形態）
以下、本発明の第２の実施の形態にかかるベビーシューズ１００について説明する。
本実施の形態にかかるベビーシューズ１００の多くの構成は、上述の第１の実施の形態にかかるベビーシューズ１と同様のため、同様の構成は同一符号等として説明を省略し、以下相違点を中心に説明する。
【００５８】
図９に示すように、本実施の形態では、連動ベルト９００の他端である例えば、連動ベルト他端部９１０は、第１の実施の形態のベビーシューズ１と異なり連動ベルト貫通孔９１から近接した舌状当接部５０の中央部に固定されておらず、舌状当接部５０の履き口部３０側、すなわち、連動ベルト貫通孔９１から離間した位置に配置されている。
すなわち、舌状当接部５０の上端で、連動ベルト貫通孔９１から離間した位置に連動ベルト他端部９１０が固定されている。
これにより、ベビーシューズ１を履くときに、足を挿入した後にベルト部６０を足挿入用開口部４０を覆う方向に動作させると、連動ベルト９００が連動して確実に舌状当接部５０を閉状態に移動させることができる。
なお、連動ベルト他端部９１０は、舌状当接部５０のうち、連動ベルト貫通孔９１から最も離間している部分に固定してもよい。
【００５９】
なお、本実施の形態では、アッパー部２０が足を覆うタイプのベビーシューズ１等で本発明を説明したが、本発明は、これに限らず、アッパー部が足全体を覆うのではなく、部分的に足を覆う、所謂サンダルタイプのベビーシューズであっても好適に適用することができる。
【符号の説明】
【００６０】
１、１００・・・ベビーシューズ、１０・・・靴底部、１０ａ・・・溝部、２０・・・アッパー部、２０ａ・・・アッパー部側面ファスナ、３０・・・履き口部、３０ａ・・・履き口部上端、４０・・・足挿入用開口部、５０・・・舌状当接部、５０ａ・・・舌状当接部上端、５１・・・舌状当接部側面ファスナ、５２・・・縫合部、５３・・・挿通孔５３、６０・・・ベルト部、６０ａ・・・ベルト側面ファスナ、６１・・・ベルト基端部、６２・・・ベルト先端部、６３・・・摘み部、７０・・・爪先部、７１・・・爪先部側面ファスナ、７２・・・合皮、８０・・・踵部、８１・・・カウンタ部、９０．９００・・・連動ベルト、９１・・・連動ベルト貫通孔、９１０・・・連動ベルト他端部
【図１】
0005961393.tif 000002
【図２】
0005961393.tif 000003
【図３】
0005961393.tif 000004
【図４】
0005961393.tif 000005
【図５】
0005961393.tif 000006
【図６】
0005961393.tif 000007
【図７】
0005961393.tif 000008
【図８】
0005961393.tif 000009
【図９】
0005961393.tif 000010